(57)【要約】  本発明はコネクタ（１）に関する。コネクタ（１）は、接続方向（２２）に沿って相補コネクタ（１１）に連結するための連結面（２３）と、コネクタハウジング（２）と、相補コネクタ（１１）に連結するための少なくとも１つのレバー（６）を含むレバーアセンブリ（４）とを備える。レバー（６）は回転軸（２０）の周りで旋回可能にコネクタハウジング（２）に保持され、回転軸（２０）は接続方向（２２）に対して略垂直に延び、少なくとも１つのレバー（６）は、接続方向（２２）の少なくとも１つの位置で、回転軸（２０）から離れて延びる。限定された空間で大きい力を伝達するため、かつ相補コネクタ（１１）に連結されたときに小型のコネクタ（１）を得るために、レバーアセンブリ（４）は、少なくとも１つのレバー（６）に対して可動であり、かつレバーアセンブリ（４）を伸長状態（３８）で回転軸（２０）から離れる方向へ伸長させる少なくとも１つの伸長部（１２）を備える。さらに、本発明は、そのようなコネクタ（１）と、連結面（２３）に面する端面（１２０）を有する相補コネクタ（１１）とを備え、相補コネクタ（１１）は、コネクタハウジング（２）に接続方向（２２）で少なくとも部分的に挿入されるように構成されている、コネクタアセンブリ（１５０）に関する。【選択図】図２
2021507481.tif 000002
【特許請求の範囲】
【請求項１】
コネクタ（１）であって、
前記コネクタ（１）は、
-  接続方向（２２）に沿って相補コネクタ（１１）に連結するための連結面（２３）と、
-  コネクタハウジング（２）と、
-  前記相補コネクタ（１１）に連結するための少なくとも１つのレバー（６）を含むレバーアセンブリ（４）とを備え、
前記レバー（６）は、回転軸（２０）の周りで旋回可能に前記コネクタハウジング（２）に保持され、
前記回転軸（２０）は、前記接続方向（２２）に対して略垂直に延び、
前記少なくとも１つのレバー（６）は、前記接続方向（２２）の少なくとも１つの位置（７８）で、前記回転軸（２０）から離れて前記連結面（２３）の方向へ延び、
前記レバーアセンブリ（４）は、少なくとも１つの伸長部（１２）を備え、前記伸長部（１２）は、前記少なくとも１つのレバー（６）に対して可動であり、前記レバーアセンブリ（４）を伸長状態（３８）で前記回転軸（２０）から離れる方向へ伸長させることを特徴とする、
コネクタ（１）。
【請求項２】
前記伸長部（１２）は、前記レバーアセンブリ（４）の伸長状態（３８）および／または非伸長状態（８０）で前記レバー（６）に掛止されることを特徴とする、
請求項１に記載のコネクタ（１）。
【請求項３】
前記伸長部（１２）は前記レバー（６）に摺動可能に取り付けられることを特徴とする、
請求項１または２に記載のコネクタ（１）。
【請求項４】
前記レバー（６）と前記伸長部（１２）とが、入れ子状に伸縮自在に格納可能なアセンブリを形成することを特徴とする、
請求項１から３のいずれか一項に記載のコネクタ（１）。
【請求項５】
前記レバーアセンブリ（４）は、前記レバー（６）に対する前記伸長部（１２）の可動性を制限するための少なくとも１つの止め（５０）を備えることを特徴とする、
請求項１から４のいずれか一項に記載のコネクタ（１）。
【請求項６】
前記伸長部（１２）は前記レバー（６）に繰り返し取り付け可能に形成されることを特徴とする、
請求項１から５のいずれか一項に記載のコネクタ（１）。
【請求項７】
前記レバー（６）および／または前記伸長部（１２）は、少なくとも１つの位置（７８）で前記接続方向（２２）の周りに延びることを特徴とする、
請求項１から６のいずれか一項に記載のコネクタ（１）。
【請求項８】
少なくとも前記非伸長状態（８０）において、前記伸長部（１２）は、前記少なくとも１つの位置（７８）で前記コネクタハウジング（２）と反対側を向く面（１３）に配置されることを特徴とする、
請求項１から７のいずれか一項に記載のコネクタ（１）。
【請求項９】
前記伸長部（１２）は、前記レバー（６）の少なくとも１つの側縁部（３４）を把持する少なくとも１つのフック状締結部（３５）を備えることを特徴とする、
請求項１から８のいずれか一項に記載のコネクタ（１）。
【請求項１０】
前記伸長部（１２）は、把持補助（６７）を有する外方に湾曲した把持面（６６）を備えることを特徴とする、
請求項１から９のいずれか一項に記載のコネクタ（１）。
【請求項１１】
前記レバーアセンブリ（４）は、前記相補コネクタ（１１）に連結するための連結レバー（８）を備え、前記連結レバー（８）は、前記少なくとも１つの位置（７８）で、前記レバー（６）に対して前記コネクタハウジング（２）側へ旋回可能であることを特徴とする、
請求項１から１０のいずれか一項に記載のコネクタ（１）。
【請求項１２】
前記レバーアセンブリ（４）は少なくとも１つの窓（３２）を備え、前記少なくとも１つの位置（７８）で前記窓（３２）に前記連結レバー（８）が配置されることを特徴とする、
請求項１１に記載のコネクタ（１）。
【請求項１３】
前記連結レバー（８）は、前記連結レバー（８）を厚くする少なくとも１つの隆起（２６）を有することを特徴とする、
請求項１１または１２に記載のコネクタ（１）。
【請求項１４】
前記レバーアセンブリ（４）の少なくとも前記非伸長状態（８０）において、前記連結レバー（８）は前記伸長部（１２）によって少なくとも部分的に覆われることを特徴とする、
請求項１１から１３のいずれか一項に記載のコネクタ（１）。
【請求項１５】
前記レバーアセンブリ（４）は、前記レバーアセンブリ（４）の旋回を防止するための少なくとも１つのロック機構を備えることを特徴とする、
請求項１から１４のいずれか一項に記載のコネクタ（１）。
【請求項１６】
前記コネクタハウジング（２）は、前記少なくとも１つの位置（７８）で、少なくとも部分的に前記レバーアセンブリ（４）の陰になることを特徴とする、
請求項１から１５のいずれか一項に記載のコネクタ（１）。
【請求項１７】
前記コネクタハウジング（２）は、前記連結面で前記接続方向に沿って延びる少なくとも１つの安定柱（１０４）を備え、
前記少なくとも１つの安定柱は、前記相補コネクタ（１１）を半径方向に安定させるように構成されていることを特徴とする、
請求項１から１６のいずれか一項に記載のコネクタ（１）。
【請求項１８】
前記少なくとも１つの安定柱（１０４）は、前記少なくとも１つの位置（７８）で、前記レバーアセンブリ（４）の外周と略同一平面上にあることを特徴とする、
請求項１７に記載のコネクタ（１）。
【請求項１９】
前記少なくとも１つの位置（７８）で、前記コネクタハウジング（２）と前記レバーアセンブリ（４）との間に少なくとも部分的に間隙（１５４）が設けられることを特徴とする、
請求項１から１８のいずれか一項に記載のコネクタ（１）。
【請求項２０】
前記間隙（１５４）は、そのようなコネクタ（１）で使用するためのワイヤ（１８）よりも、前記接続方向（２２）の幅が大きいことを特徴とする、
請求項１９に記載のコネクタ（１）。
【請求項２１】
請求項１から２０のいずれか一項に記載のコネクタ（１）と、
前記連結面（２３）に面する端面（１２０）を有する相補コネクタ（１１）とを備え、
前記相補コネクタ（１１）は、前記コネクタハウジング（２）に前記接続方向（２２）で少なくとも部分的に挿入されるように構成されていることを特徴とする、
コネクタアセンブリ（１５０）。
【請求項２２】
前記相補コネクタ（１１）は、少なくとも１つのワイヤ（１１８）を前記接続方向（２２）に対して垂直に保持するための少なくとも１つのワイヤホルダ（１２２）を備え、
前記少なくとも１つのワイヤホルダ（１１２）は、前記端面（１２０）を前記コネクタハウジング（２）に挿入する前に、開位置（１２）で前記間隙（１５４）内に開くことを特徴とする、
請求項２１に記載のコネクタアセンブリ（１５０）。
【請求項２３】
前記相補コネクタ（１１）は、ケーブル（１１６）のシールドに接触するように構成されている、少なくとも１つの弾性的および／または半径方向にたわみ可能なシールドコンタクト（１２８）を備え、
前記少なくとも１つのシールドコンタクト（１２８）は、少なくとも１つの位置（７８）で窓（３２）から突出することを特徴とする、
請求項２１または２２に記載のコネクタアセンブリ（１５０）。
【請求項２４】
前記相補コネクタ（１１）は、前記ケーブル（１１６）の前記シールドに接触するように構成されている、弾性的および／または半径方向にたわみ可能な少なくとも１つの副シールドコンタクト（１３４）を備え、
前記少なくとも１つの副シールドコンタクト（１３４）は、前記少なくとも１つの位置（７８）で前記レバーアセンブリ（４）に当接することを特徴とする、
請求項２１から２３のいずれか一項に記載のコネクタアセンブリ（１５０）。
【発明の詳細な説明】
【技術分野】
【０００１】
本発明は、接続方向に沿って相補コネクタに連結するための連結面と、コネクタハウジングと、相補コネクタに連結するための少なくとも１つのレバーを含むレバーアセンブリとを備え、レバーは回転軸の周りで旋回可能にコネクタハウジングに保持され、回転軸は接続方向に対して略垂直に延び、少なくとも１つのレバーは、接続方向の少なくとも１つの位置で回転軸から離れて延びる、コネクタに関する。さらに、本発明は、そのようなコネクタと、連結面に面する端面を有する相補コネクタとを備え、相補コネクタは、コネクタハウジングに接続方向で少なくとも部分的に挿入されるように構成されている、コネクタアセンブリに関する。
【背景技術】
【０００２】
コネクタまたは相補コネクタは、コンタクトピンで終端する複数のワイヤを備えており、このコンタクトピンを、相補コネクタまたはコネクタのそれぞれのソケットに挿入しなければならない。シングルコンタクトピンの数が増加すると、コネクタを相補コネクタに連結するために必要な差込力も増加する。さらに、ワイヤ絶縁体がコネクタによって変位する圧接コネクタなどの一般的なコネクタの適用においては、大きい差込力が必要である。
【０００３】
差込力が大きい場合、ユーザがコネクタを相補コネクタに連結できないことがある。特に限られた空間では、取扱いがより困難になるため、コネクタおよび／または相補コネクタの連結も困難になる。さらに、コネクタが占める空間はできるだけ小さいことが望ましい。
【発明の概要】
【発明が解決しようとする課題】
【０００４】
したがって、本発明の目的は、限られた空間でも身体的な負担が少なく(low physical effort)簡単に連結することができ、製造が容易で、連結状態において占める空間ができるだけ小さい、コネクタおよび／またはコネクタアセンブリを提供することである。
【課題を解決するための手段】
【０００５】
本発明によれば、レバーに対して可動であり、かつレバーアセンブリを伸長状態で回転軸から離れる方向へ伸長させる少なくとも１つの伸長部をレバーアセンブリに設けることによって、上記コネクタおよび／またはコネクタアセンブリに関する課題が解決される。
【０００６】
本発明のコネクタおよび／またはコネクタアセンブリによれば、レバーアームを伸長部によって伸長させることができるため、限られた空間でもユーザが大きい軸方向力を実現することができる。レバーアームが長いほど、大きいトルクを身体的な負担を少なくして実現することができ、相補コネクタとの連結中に、このトルクを連結方向への大きい軸方向力に変換することができる。非伸長状態では、レバーアセンブリは小さい空間を占めるだけである。したがって、本発明のコネクタは、最小限の空間を有する連結に特に適している。
【０００７】
本発明を以下の特徴によってさらに改良することができる。これらの特徴は、それぞれの技術的効果に関して互いに独立しており、任意に組み合わせることができる。
【０００８】
第１の有利な実施形態によれば、レバーアセンブリの伸長状態および／または非伸長状態で、伸長部をレバーに掛止することができる。掛止により、伸長部は伸長状態または非伸長状態のそれぞれに保持され、レバーに対する意図しない動きが防止される。掛止は、例えば、伸長状態または非伸長状態のそれぞれにおいて開口部を貫通する突起によって実現することができるが、これに限定されない。一実施形態において、突起をレバーに配置することができ、伸長部は開口部を備えることができる。別の実施形態において、伸長部は突起を備え、レバーは開口部を備え、少なくとも１つの状態でこの開口部に突起を掛止することができる。
【０００９】
レバーに対する伸長部の動きを可能にするために、伸長部をレバーに摺動可能に配置することができる。あるいはまたは加えて、伸長部をレバーにヒンジ留めすることができる。これにより、必要なときに伸長部を容易に折り畳み、かつ広げることができる。伸長部を最大１８０°に広げて、レバーアームを直線状に伸長させ、力の衝撃によって伸長部がさらに外方へ広がらず、力がレバーに伝達されるようにすることができると好ましい。あるいは、レバーアセンブリは、広げた状態で伸長部をロックするロックを備えることができる。これにより、伸長部を広げることのできる角度を、ユーザが条件に応じて自由に構成することができる。ロック後、伸長部に加わる力はレバーに伝達され、最終的に、連結された相補コネクタに伝達される。
【００１０】
さらに有利な実施形態において、レバーと伸長部とは入れ子状に伸縮自在に格納可能なアセンブリを形成することができる。これにより、レバーアセンブリを必要に応じて伸長させることができ、レバーアセンブリは非伸長状態において最小限の空間を占めることができる。あるいはまたは加えて、伸長部またはレバーはキャビティを備えることができ、非伸長状態においてレバーおよび伸長部をそれぞれ少なくとも部分的にこのキャビティに挿入することができる。
【００１１】
レバーに対する伸長部の可動性を制限するために、レバーアセンブリは、少なくとも１つの止めを備えることができる。止めは、レバーおよび伸長部のそれぞれの外縁部を把持することができる。止めは窪みを備え、レバーに対する伸長部の意図しない動きを防止するために突起をこの窪みに嵌め込むことができると好ましい。
【００１２】
別の有利な実施形態によれば、伸長部をレバーに繰り返し取り付け可能に形成することができる。伸長部は別個の部品であることが好ましい。これにより、伸長部を容易に交換する可能性が広がる。さらに、伸長部を、レバーを伸長させるために必要であれば取り付けることができ、その後で取り外して、コネクタが最小限の空間を占めるようにすることができる。
【００１３】
レバーアセンブリを、接続方向の周りで少なくとも部分的に湾曲させることができる。少なくとも１つの位置で、レバーアセンブリはハウジングとして機能することができ、このハウジングは、連結部を覆い、ならびに連結配置において相補コネクタを少なくとも部分的に覆い、接続方向に対して半径方向に及ぼされる外部の影響から相補コネクタを保護する。
【００１４】
さらに有利な実施形態によれば、少なくとも非伸長状態において、伸長部を、少なくとも１つの位置でコネクタハウジングと反対側を向くレバーの面に少なくとも部分的に配置することができる。あるいは、伸長部を、少なくとも非伸長状態において、少なくとも１つの位置でコネクタハウジングに面したレバーの面に少なくとも部分的に配置することができる。
【００１５】
別の有利な実施形態によれば、伸長部は、レバーの少なくとも１つの側縁部を把持する少なくとも１つのフック状締結部を備えることができる。締結部は、伸長部の側縁部に位置することが好ましい。フック状締結部により、伸長部とレバーとの簡単な組立てが可能になる。フック状締結部は、サドル滑り面（saddle slideway）として機能して、レバーに対する伸長部の動きを案内し、伸長部が側部側に回転することを防止することができる。あるいは、少なくとも１つのフック状締結部をレバーの少なくとも１つの側縁部に配置し、フック状締結部が伸長部の少なくとも１つの側縁部を把持することができる。
【００１６】
伸長部の取扱いを簡単にするために、伸長部は把持補助を有する把持面を備えることができる。把持補助を、例えば、リッフル（riffle）の形で実現することができる。把持補助により、伸長部を１本の指のみで取り扱うことができる。
【００１７】
別の有利な実施形態において、レバーは窓を備えることができ、この窓を伸長部の突起が貫通し、突起が窓の内縁部に押し付けられると、伸長部が内外へ動くことを阻止する。
【００１８】
レバーアセンブリは、レバーアセンブリを相補コネクタに少なくとも接続方向に連結するための連結レバーを備えることができる。連結レバーは、回転軸から離れた点でレバーに取り付けられることが好ましい。
【００１９】
さらに有利な実施形態によれば、レバーと連結レバーとを２つの部品で構成することができ、これにより、連結レバーは、レバーに対してコネクタハウジングに向かう方向へ旋回可能である。別々の部品を有するアセンブリは、材料のたわみ、したがって摩耗を減少させることができるため、有利である。さらに、連結レバーの簡単な交換が可能である。
【００２０】
簡単かつ費用効率の高い製造のために、レバーと連結レバーとを一体部品の要素とすることができる。
【００２１】
空間を節約するために、連結レバーを、少なくとも１つの位置で、レバーおよび／または伸長部の窓に少なくとも部分的に配置することができる。これにより、レバーアセンブリは、例えば連結状態で、接続方向へ半径方向外方に不要に広げられることがない。
【００２２】
さらなる実施形態によれば、連結レバーを略平面に形成することができる。その結果、連結レバーは可撓性で、相補コネクタに連結されたときにレバーに加わる力を軸方向力に変換することができる。これにより、連結レバーは、連結状態で弾性変形可能な板ばねとして作用する。
【００２３】
連結レバーが連結状態で弾性変形すると、連結方向への恒久的な力によってコネクタと相補コネクタとの連結を維持することができる。
【００２４】
さらなる実施形態において、連結レバーは、連結レバーとレバーとの間に変形領域（deformation zone）を含むことができる。この変形領域により、連結レバーを相補コネクタに連結するように曲げることができる。さらに、変形領域は、連結レバーの変形の場所を決めるために高い可撓性を有することができる。変形領域は、連結レバーの残りの部分と比べて小さい材料厚さを有することができる。あるいはまたは加えて、変形領域における連結レバーの横断面を、連結レバーがレバーに取り付けられる点と比べて小さくすることができる。
【００２５】
変形領域外での連結レバーの意図しない変形を防止するために、連結レバーは、少なくとも１つの位置で、コネクタハウジング側の面および／またはコネクタハウジングと反対側の面に、より大きい材料厚さを有する部分を含むことができる。これは、例えば隆起によって実現することができる。材料厚さが大きいと、この部分の安定性が高まるため、より材料厚さの小さい変形領域で変形が生じる。連結レバーを相補コネクタに連結するために相補コネクタ側へ向ける必要がある場合に、隆起はユーザのための作動面としてさらに機能することができる。
【００２６】
レバーアセンブリは、少なくとも１つの位置、好ましくはレバーアセンブリが接続方向に平行に延びる位置に、少なくとも１つの放射状円周ジャケットを形成することが好ましい。このジャケットは、連結部を外部の影響から保護し、かつ小型である。
【００２７】
意図せず開くことを防止するために、レバーアセンブリは、少なくとも１つの位置でレバーをロックするための少なくとも１つのロック機構を備えることができる。ロック機構を、例えば、噛合フックとして形成することができる。レバーアセンブリは、ロック可能位置で接続方向に平行に配置されることが好ましい。
【００２８】
本発明の別の有利な実施形態によれば、コネクタは、連結面で接続方向に沿って延びる少なくとも１つの安定柱を備えることができ、この安定柱は、相補コネクタを半径方向に固定する、かつ／または安定させるように構成されている。案内柱は、特に相補コネクタのワイヤが非対称に配置される場合に、ねじり応力を補償することができる。例えば、ワイヤが相補コネクタの端面から半径方向に突出しており、相補コネクタをコネクタハウジングに挿入するときにワイヤが適切な長さに切断される場合、相補コネクタはワイヤの非対称の配置によって傾斜することがある。案内柱が相補コネクタを半径方向に安定させることによって、そのような傾斜運動を防止することができる。安定柱を、金属ダイカスト片などの堅牢性の高い剛性材料から形成することができると好ましい。
【００２９】
コネクタハウジングは、少なくとも１つの位置で、少なくとも部分的にレバーアセンブリの陰になることができる。特に、連結面は、少なくとも１つの位置で、少なくとも部分的にレバーアセンブリの陰になることができる。これは、連結面が、少なくとも１つの位置で、少なくとも部分的にレバーアセンブリを越えて半径方向に突出しないことを意味する。コネクタハウジング、特に安定柱は、少なくとも１つの位置で、レバーアセンブリの外周と略同一平面上にあり得ることが好ましい。少なくとも１つの位置におけるレバーアセンブリの外周は、少なくとも部分的に、コネクタハウジングの外面、特に安定柱と略同一平面上にあり得る。この配置により、安定柱に大きい材料厚さ、したがって高い堅牢性を与えることができる。さらに、少なくとも１つの位置で、コネクタは、レバーアセンブリによりコネクタ受入面に環状形状を有する。
【００３０】
別の例示的実施形態によれば、少なくとも１つの位置で、コネクタハウジングとレバーアセンブリとの間に少なくとも部分的に間隙を設けることができる。間隙は、コネクタハウジングとレバーアセンブリとの間で少なくとも部分的に接続方向へ延びることができる。間隙を、ソケットとレバーアセンブリとの間に設けることができると好ましい。間隙は、特に、そのようなコネクタで使用するためのワイヤの直径と、少なくとも接続方向に同じ幅であり得る。したがって、レバーアセンブリを少なくとも１つの位置へ旋回させながらワイヤを適切な長さに切断すると、余分なワイヤが間隙から突出することができ、レバーアセンブリを再び開く必要なくワイヤをつまみ取ることができる。したがって、この間隙を設けることにより、より容易な設置を実現することができる。
【００３１】
相補コネクタは、ワイヤマネージャ（wire manager）であり得ることが好ましい。ワイヤマネージャは、少なくとも１つのワイヤ、好ましくは２対または４対のワイヤ、特にツイストペアのワイヤを所定の位置で端面に保持することができる。したがって、端面をソケットに挿入すると、少なくとも１つのワイヤを、コネクタの対応するコンタクト、例えば圧接コンタクトで終端させることができる。
【００３２】
相補コネクタは、接続方向に対して垂直な少なくとも１つのワイヤを端面に保持することができると好ましい。このために、相補コネクタは、少なくとも１つのワイヤを所定の位置に保持および／または固定する少なくとも１つのワイヤホルダを備えることができる。少なくとも１つのワイヤホルダは、接続方向に対して垂直に開くことができるため、少なくとも１つのワイヤを相補コネクタの端面で接続方向に対して垂直に配置することができる。
【００３３】
少なくとも１つのワイヤホルダを、コネクタのソケットに挿入する前に間隙に配置することができる。したがって、ワイヤの余分な長さ、すなわち相補コネクタから半径方向に突出するワイヤの部分が、曲がることなく間隙を通って突出することができる。少なくとも１つのワイヤの余分な長さを切断すると、少なくとも１つのワイヤの可撓性絶縁体により、切断部分がコネクタアセンブリに付着したままとなる。したがって、切断部分を手で、または道具を使用して除去する必要がある。ワイヤホルダをソケットに挿入することによりワイヤの余分な長さを切断する前に、ワイヤホルダを間隙に配置することにより、コネクタアセンブリに損傷を与えることなく、コネクタアセンブリを切り離す必要なく、またはレバーアセンブリを少なくとも１つの位置から離れる方へ旋回させることなく、切断部分を容易に除去することができる。
【００３４】
コネクタハウジングは、ソケットに受け入れられるリング状の内側ハウジングを備えることができる。内側ハウジングを電気絶縁材料から形成することができ、内側ハウジングは、相補コネクタの端面に面する少なくとも１つの切刃を備えることができる。したがって、内側ハウジングは、端面をソケットに挿入する間にワイヤを適切な長さに切断し、少なくとも１つのワイヤを電気的に絶縁することができる。あるいは、切刃をセラミック材料から形成することができ、または金属刃として形成することもできる。この場合、絶縁機構を設けて、相補コネクタがコネクタハウジングに接続されるときに、少なくとも１つのワイヤを確実に電気的に絶縁することができるようにする。
【００３５】
内側ハウジングは、接続方向に沿って相補コネクタ側へ延びる少なくとも１つのガイド機構を備えることができる。相補コネクタは、少なくとも１つのガイド機構を受け入れるための少なくとも１つの相補ガイドスロットを備えることができる。少なくとも１つのガイド機構は、コネクタアセンブリを符号化して、コネクタと相補コネクタとの正確な相対回転位置を決めることができるようにしてもよい。
【００３６】
少なくとも１つのガイド機構を安定柱の半径方向内側に配置して、安定柱がガイド機構を安定させ、相補コネクタをソケットに挿入する間にガイド機構が半径方向に弾性変形および／またはたわむことを防止するようにしてもよい。したがって、相補コネクタをソケットに挿入する間に非対称な力配分があるときに、相補コネクタの傾斜を防止することができる。
【００３７】
少なくとも１つのガイド機構は、半径方向外方を向く面に窪みを有することができ、少なくとも１つの安定柱は、少なくとも部分的に窪みに位置することができる。したがって、少なくとも１つの安定柱は、ねじり力に対してガイド機構をさらに安定させることができる。したがって、安定柱により、コンタクトと相補コンタクトとの接続中における前記コンタクト同士の相対回転を防止することができる。
【００３８】
コネクタアセンブリは、相補コネクタのケーブルのシールドに接触するように構成されている、少なくとも１つの半径方向および弾性的にたわみ可能なシールドコンタクトを備えることができる。ケーブルのシールドは、編組シールドおよび／または箔張シールドであり得ることが好ましい。少なくとも１つのシールドコンタクトは、少なくとも１つの位置で窓から突出して、コネクタアセンブリに少なくとも部分的に嵌めることのできる外殻に直接接触することができるようになっていてもよい。したがって、コネクタアセンブリは３６０°シールド機構を備えることができる。
【００３９】
加えてまたは代替として、コネクタアセンブリは、半径方向および弾性的にたわみ可能な少なくとも１つの副シールドコンタクトを備えることができる。副シールドコンタクトは、相補コネクタのケーブルの、好ましくは編組シールドおよび／または箔張シールドに接触するように構成されている。少なくとも１つの副シールドコンタクトは、少なくとも１つの位置でレバーアセンブリに接触することができる。少なくとも１つの副シールドコンタクトは、少なくとも１つの位置で連結レバーに接触し、ケーブルの編組シールドおよび／または箔張シールドに押し付けられて、編組シールドおよび／または箔張シールドを有する平面コンタクトを形成することができると好ましい。
【００４０】
レバーアセンブリを導電性材料から形成して、副シールドコンタクトを、レバーアセンブリを介して間接的に外殻に接続することができる。例えば、外方に湾曲する把持面および／または把持補助が、外側スリーブの内壁に当接することができる。
【００４１】
以下で、有利な例示的実施形態を示す添付図面を参照しながら、本発明をより詳細に説明する。図示した有利な発展および実施形態は、互いに独立し、適用の場合に応じて任意に組み合わせることができる。
【図面の簡単な説明】
【００４２】
【図１】伸長状態にある本発明のコネクタの概略斜視図である。
【図２】伸長状態にある本発明のコネクタのさらなる概略斜視図である。
【図３】非伸長状態にある図１および図２の本発明のコネクタの概略斜視図である。
【図４】本発明によるコネクタの第２の実施形態の概略斜視図である。
【図５】本発明によるコネクタアセンブリの相補コネクタの実施形態の概略斜視図である。
【図６】本発明によるコネクタアセンブリの概略斜視図である。
【図７】図６に示すコネクタアセンブリの概略斜視図である。
【発明を実施するための形態】
【００４３】
図１および図２はそれぞれ、本発明によるコネクタ１の概略斜視図である。コネクタ１は、コネクタハウジング２と２つのレバー６を含むレバーアセンブリ４とを備え、レバー６は互いに対向してコネクタハウジング２に配置されている。
【００４４】
コネクタハウジング２は、その連結面２３ａにソケット７を備え、図２に概略的に示す相補コネクタ１１をこのソケット７に挿入することができる。
【００４５】
各レバー６は、くびれ（necking）９を有する連結レバー８をさらに備え、このくびれ９は、連結レバー８とレバー６との間に変形領域１０を形成する。変形領域１０は、その隣接する周囲と比べて高い可撓性を有する弾性的変形可能な部分であり、連結中に連結レバー８に加わる力効果よる変形の場所を決めるように機能する。レバーアセンブリ４は伸長部１２をさらに備え、この伸長部１２は、対向するレバー６と反対側を向く、レバー６のそれぞれの面１３に配置される。
【００４６】
レバー６は構造的に同一であるため、図中の参照符号は２つのレバー６のうちの一方のみに示される。
【００４７】
図１および図２は、レバー６と連結レバー８とが一体の実施形態を示す。図示しない実施形態では、連結レバー８を、ヒンジ（図示せず）を介してレバー６に旋回可能に取り付けてもよい。２部品の実施形態（図示せず）では、変形領域は不要である。
【００４８】
図１および図２のレバーアセンブリ４は開状態１４を示し、レバー６がソケット７に対して鋭角で配置されている。
【００４９】
レバー６は各々、接続方向２２に対して略垂直に延びる回転軸２０の周りで旋回可能な取付部１６により、コネクタハウジング２の受入ポケット１８に取り付けられる。さらに、レバー６はコネクタ１の連結面２３から離れて延びる。レバー６は取付部１６にガイド窓７２を備え、このガイド窓７２をガイド７４が貫通する。これにより、レバー６が旋回中に横方向へ回転することを防止する。
【００５０】
連結レバー８は各々、相補コネクタ１１に連結可能な自由端２４を有する。このために、相補コネクタ１１は半径方向に回転する突起２９を備える。連結レバー８の自由端２４を、ソケット７と反対側を向く面３１に接続方向２２で締結して、力４２によってレバーアーム４０に加わるトルクを相補コネクタ１１に伝達し、このトルクを接続方向２２に作用する軸方向力に変換することができる。
【００５１】
さらに、連結レバー８は各々、対向する連結レバー８側の面２７および対向する連結レバー８と反対側を向く面１３に、連結レバー８を厚くする隆起２６を有する。隆起２６により厚さが増加することによって、変形領域１０外の連結レバー８の変形を防止することができ、これにより、連結レバー８の形状安定性がさらに高まる。
【００５２】
レバー６および伸長部１２は凹形状２８を有し、レバー６および伸長部１２の凹面３０は、基本的に対向するレバー６および伸長部１２側を向く。さらに、レバー６は各々、連結レバー８が配置される窓３２を備える。
【００５３】
伸長部１２は、凹面３０側に内方へフック状に変形したガイド溝３６を有する締結部３５を側縁部３４に備え、このガイド溝３６は各々、レバー６の側縁部３４を把持する。これにより、伸長部１２をレバー６に取り付けることができ、ガイド溝３６によるガイドの下で、図１および図２に示すように伸長部１２をコネクタハウジング２から離れて伸長状態３８へ押す、または図３に示すように非伸長状態８０に押し込むことができる。
【００５４】
伸長状態３８で、レバーアセンブリ４は、より長いレバーアーム４０を有する。コネクタ１と相補コネクタ１１との連結中、レバーアーム４０に加わる力４２を、少なくとも相補コネクタ１１に接続方向２２で連結される連結レバー８によって伝達することができる。レバーアーム４０の長さが増加するにつれて、必要な力４２が減少する。
【００５５】
レバー６は、接続方向２２に略平行に配置される（図３参照）まで、加わる力４２によってコネクタハウジング２側に内方へ旋回する。その際に、レバーアセンブリ４は、コネクタ１のソケット７を少なくとも部分的に覆うジャケット５８を形成する。
【００５６】
凹面３０において、伸長部１２は、レバー６の窓３２内に突出する留め具４４をコネクタハウジング２の近位端２５に備える。これにより、最大伸長状態３８で留め具４４が窓３２の内縁部４６に当接するため、伸長部１２の引出しが制限される。
【００５７】
さらに、伸長部１２は、コネクタハウジング２の遠位における自由端２４の外縁部４８に、略Ｕ字形の止め５０を備える。この止め５０は凹面３０側へ延び、その開口部５２がコネクタハウジング２側を向く。凹面３０に位置する止め５０の面５４は切欠き５６を含み、レバー６の自由端２４で凹面３０に位置する突出部７６をこの切欠き５６に挿入することができる。
【００５８】
伸長部１２は、接続方向１１に対して垂直な略Ｕ字形横断面を有して形成され、これにより、アーム６２はレバー６を把持するガイド溝３６を備え、アームの接続部６４は伸長部１２の自由端２４を形成し、把持面６６として機能する。把持面６６には把持補助６７が形成され、この把持補助６７は、対向するレバー６と反対側を向く面１３で外方へ弓状になったリッフル６８の形である。リッフル６８により、把持が強まり、伸長部１２を１本の指のみで容易に内外へ摺動させることができる。アーム６２と伸長部１２との間の切抜き部７０により、窓３２に配置された連結レバー８に手が届く。
【００５９】
図３は、図１および図２に示すコネクタ１を閉位置７８で示す。さらに、レバーアセンブリ４が非伸長状態８０にある。伸長部１２は、止め５０まで後退している。止め５０は各々、レバー６の対応する外縁部４８を把持する。これにより、突出部７６が対応する切欠き５６に配置されて掛止されるため、伸長部１２から意図せず動くことを防止することができる。対向する伸長部１２はガイド切欠き３６により互いに当接し、コネクタ１のソケット７を覆う。
【００６０】
図示しない実施形態において、伸長部１２は各々、閉位置７８で互いに噛み合うフック（図示せず）を備え、これにより、レバーアセンブリ４の旋回運動を防止することができる。さらに、レバーアセンブリ４によってコネクタ１と相補コネクタ１１との連結を固定することができる。
【００６１】
非伸長状態８０で、レバーアセンブリ４は、小さい空間しか占めないため、空間が限られた、大きい挿入力を必要とする適用に特に適している。
【００６２】
図４は、本発明のコネクタ１の第２の実施形態を示す。第１の実施形態と比較すると、レバー６は、レバー６の側面９２、すなわち湾曲形状の頂部に隣接する面に凹部９０を有する。凹部９０は、回転軸２０に近接する、それぞれのレバー６の近位端９４に設けられる。レバー６が接続方向２２に沿って回転軸２０から離れて連結面２３の方向へ延びる閉位置７８で、レバー６とコネクタハウジング２との間で接続方向２２に延びる間隙（図６または図７参照）を設けることができる。
【００６３】
コネクタハウジング２は、ソケット７内にリング状の内側ハウジング９６を少なくとも部分的に受け入れることができる。内側ハウジング９６をセラミック材料および／または樹脂などの電気絶縁材料から形成することができ、内側ハウジング９６は、相補コネクタ１１をソケット７に挿入する間に相補コネクタ１１の少なくとも１つのワイヤを適切な長さに切断するための少なくとも１つの切刃９８を備えることができる。リング状の内側ハウジング９６は八角形であり、少なくとも１つの切刃９８は、相補コネクタ１１に面する内側ハウジング９６の内縁部１００によって形成される。この例示的実施形態において、内側ハウジング９６は８個の切刃９８を備え、これらの切刃９８は八角形の交互の面に対で配置される。言い換えると、八角形の１つおきの面が２つの切刃９８を有する。
【００６４】
内側ハウジング９６は少なくとも１つのガイド機構１０２を備え、このガイド機構１０２は、相補コネクタ１１のガイドスロットに挿入されるように構成されているソケット７から離れて接続方向２２へ延びる。ガイド機構１０２は、切刃９８を備えていない八角形の面から延び、相補コネクタ１１をコネクタ１に対して所定の回転位置のみで挿入することができるように、コネクタ１を符号化（code）する。この例示的実施形態において、２つのガイド機構１０２が互いに正反対に配置される。
【００６５】
コネクタハウジング２は、ガイド機構１０２に平行に延びてガイド機構１０２を安定させる２つの安定柱（stabilizing post）１０４をさらに備える。ガイド機構１０２に力が加わる場合に、前記ガイド機構１０２の半径方向へのたわみが安定柱１０４により防止される。少なくとも安定柱１０４をダイカストによって形成することができ、安定柱１０４は金属などの堅牢な材料を含むことができる。あるいは、コネクタハウジング２をダイカストによって形成することができる。コネクタハウジング２と少なくとも１つの安定柱１０４とを互いに一体に形成してもよい。コネクタハウジング２、特に安定柱１０４の半径方向の材料厚さは、コネクタハウジング２、特に安定柱１０４の外面１０６が、閉位置７８でレバーアセンブリ４の外周と略同一平面上にあるようになっている。
したがって、コネクタハウジング２、特に安定柱１０４が、内側ハウジング９６および／またはコネクタハウジング２自体の変形を防止するのに十分堅牢かつ剛性であることが確実になる。
【００６６】
レバーの凹部９０により、コネクタハウジング２、特に安定柱１０４が接続方向２２に沿ってさらに延びて、ソケット７の深さを増加させ、さらに内側ハウジング９６を接続方向２２に沿って収容することができる。したがって、内側ハウジング９６がコネクタハウジング２により深く挿入されるほど、コネクタハウジング２による内側ハウジング９６の安定性がさらに高まる。
【００６７】
ガイド機構１０２は、半径方向外方を向く面１１０に窪み１０８を有することが好ましい。安定柱１０４は、対応する窪み１０８に位置して、ガイド機構１０２を半径方向だけでなく周方向にも安定させるようにすることができる。したがって、材料厚さの大きい堅牢な安定柱１０４により、非対称の挿入力配分であっても、コネクタ１と相補コネクタ１１との安定した接続を形成することができる。
【００６８】
図５は、相補コネクタ１１の例示的実施形態の概略斜視図である。相補コネクタ１１は、接続方向２２に沿って延びるワイヤマネージャ１１２として形成される。ワイヤマネージャ１１２は、中空管状本体１１４として形成される。ケーブル１１６を、中空本体１１４に接続方向２２に挿入することができる。ケーブル１１６は少なくとも１つのワイヤ１１８を含み、このワイヤ１１８は、中空本体１１４から接続方向２２に突出し、接続方向２２に対して垂直に配置されたワイヤマネージャ１１２の端面１２０に配置される。端面１２０は、少なくとも１つのワイヤ１１８を所定の位置に保持するように構成され、内側ハウジング９６に挿入されるように構成される。この例示的実施形態において、ケーブル１１６は４対のツイストワイヤ１１８を含む。
しかしながら、異なる実施形態も可能であり、特にケーブルは２対のツイストワイヤ１１８を含む。端面１２０は内側ハウジング９６に相補的に形成され、対のツイストワイヤ１１８は対の切刃９８に対向して配置され、すなわち、八角形の１つおきの面に対のツイストワイヤ１１８を配置することができる。したがって、対のツイストワイヤを対称の十字形に配置することができる。
【００６９】
しかしながら、ケーブル１１６が２対のツイストワイヤ１１８のみを含む場合、この２対のツイストワイヤ１１８を非対称に配置することも可能であり、すなわち、２対が互いに正反対に配置されない。
【００７０】
端面１２０は、ワイヤ１１８を端面１２０に保持し固定するためのワイヤホルダ１２２を備える。ワイヤホルダ１２２は略Ｕ字形の座部１２４として形成され、ワイヤ１１８を対応する座部１２４のスロット１２６に挿入して、ワイヤ１１８が接続方向２２に対して略垂直に配置されるようにすることができる。ワイヤ１１８は、端面１２０の縁部１２７から半径方向に突出する。図６および図７を参照して詳細に後述するように、端面１２０を内側ハウジング９６に挿入する間に、ワイヤ１１８の突出部分を切断しなければならない。
【００７１】
さらに、相補コネクタ１１は、ケーブル１１６の編組シールドおよび／または箔張シールド（図示せず）に接触する少なくとも１つのシールドコンタクト１２８を備える。シールドコンタクト１２８は、半径方向および弾性的にたわみ可能であり、中空本体１１４から半径方向に突出する台座１３０に少なくとも部分的に位置する。したがって、シールドコンタクト１２８は、コネクタアセンブリの連結部に嵌めることのできる外殻１３２に接触して、３６０°シールドすることができる。
【００７２】
少なくとも１つのシールドコンタクト１２８に加えて、相補コネクタ１１は、弾性的および／または半径方向にたわみ可能な少なくとも１つの副シールドコンタクト１３４をさらに備え、この副シールドコンタクト１３４を、少なくとも部分的にケーブル１１６の編組シールドおよび／または箔張シールドに巻き付けることができる。レバーアセンブリ４が副シールドコンタクト１３４に当接して、副シールドコンタクト１３４をケーブル１１６の編組シールドおよび／または箔張シールドに押し付けるように、少なくとも１つの副シールドコンタクト１３４を形成することにより、ケーブル１１６の編組シールドおよび／または箔張シールドの平面分散コンタクトを実現するようにしてもよい。
【００７３】
少なくとも１つの副シールドコンタクト１３４を、レバーアセンブリ４を介して外殻１３２に接続することができる。
【００７４】
ワイヤマネージャ１１２は、ガイド機構１０２に相補的に形成されたガイドスロット１３６をさらに備えることにより、コネクタ１と相補コネクタ１１との接続を確立している間、ガイド機構１０２をガイドスロット１３６に受け入れることができる。
【００７５】
以下で、図６および図７を参照しながら、コネクタ１と相補コネクタ１１との機能および相互作用について説明する。
【００７６】
図６および図７は、本発明によるコネクタアセンブリ１５０の概略斜視図である。図６および図７に示すコネクタアセンブリ１５０の例示的実施形態は、図４を参照して説明した本発明のコネクタ１と、図５を参照して説明した相補コネクタ１１とを備える。
【００７７】
図６において、レバーアセンブリ４が開位置１４にある、すなわち、レバーが接続方向２２に略平行に配置されていないコネクタ１が示される。
【００７８】
図６に見られるように、相補コネクタ１１の端面１２０を内側ハウジング９６に挿入する必要がある。しかしながら、ワイヤ１１８が端面１２０の縁部１２７から突出しており、挿入中に適切な長さに切断する必要がある。したがって、コネクタ１を相補コネクタ１１に連結するために必要な軸方向の挿入力が、さらに増加する。これは、ユーザがコネクタ１と相補コネクタ１１とを連結するために必要な力を与えることができない狭い空間で、特に問題になり得る。
【００７９】
相補コネクタ１１との連結が小さい力および小さい空間要件で行われるコネクタ１を提供するために、コネクタ１は、可動伸長部１２が取り付けられた少なくとも１つのレバー６を含むレバーアセンブリ４を備える。伸長したレバーアーム４０によって、トルクを発生させるために必要な力４２がより小さくなる。このトルクを、コネクタ１を相補コネクタ１１に連結するための軸方向力に変換することができる。
【００８０】
連結レバー８の自由端２４は、ソケット７と反対側を向く台座１３０の面３１に当接し、かつ／または掛止され、これにより、相補コネクタ１１に連結される。力４２を伸長部１２に加えることにより、レバー６は、接続方向２２に略平行に配置されるまで、回転軸２０の周りで旋回する。この動きの間、連結レバー８は相補コネクタ１１を接続方向２２に押して、端面１２０をソケット７に挿入する。
【００８１】
縁部１２７は、切刃９８と共に剪断アセンブリ１５２を形成する。縁部１２７は切刃９８を通り過ぎて滑り、ワイヤ１１８の余分な長さが剪断されるようになっている。
【００８２】
内側ハウジング９６の半径方向の変形を、コネクタハウジング２によって防止することができる。特に、安定柱１０４が、ガイド機構１０２の半径方向および／または周方向のたわみを防止することにより、相補コネクタ１１の傾斜またはねじりを防止することができる。これは、ワイヤ１１８が所望の終端構成により端面１２０に対称に配置されていないときに、特に適切である。例えば、ケーブル１１６は、オルト配置またはメタ配置で位置する２対のツイストワイヤ１１８を含むことがある。そのため、相補コネクタ１１は、抵抗が小さいことにより、対のツイストワイヤなしで対向面側へ傾斜し得る。しかしながら、安定柱１０４がガイド機構１０２を押すことによって、この傾斜運動を防止することができる。
【００８３】
レバー６を閉位置７８へ旋回させる間、副シールドコンタクト１３４は連結レバー８に当接し、ケーブル１１６の編組シールドおよび／または箔張シールドに押し付けられる。
【００８４】
レバーアセンブリ４は、導電性材料によって形成されることが好ましい。
【００８５】
その後、レバーアセンブリ４が閉位置７８になると、ワイヤ１１８の突出部分が切断され、コネクタ１と相補コネクタ１１とが正しく連結される。しかしながら、ワイヤ絶縁体の弾性により、ワイヤ１１８の切断部分は、コネクタアセンブリ１５０から単に落下することはない。それどころか、切断部分はコネクタアセンブリ１５０に付着したままであり、手でかつ／または道具、例えばプライヤ（図７参照）を使用して除去しなければならない。
【００８６】
コネクタ１の有利な実施形態によれば、レバーアセンブリ４とコネクタハウジング２との間、特にレバーアセンブリ４と内側ハウジング９６との間に延びる間隙１５４が形成される。間隙１５４は、レバーアセンブリ４の凹部９０によって形成され、少なくとも部分的にレバーアセンブリ４の周囲に沿って延びることができる。レバーアセンブリ４と内側ハウジング９６との間の間隙１５４の、接続方向２２の幅は、そのようなコネクタアセンブリ１５０で使用するワイヤ１１８の直径より大きい。
【００８７】
ワイヤ１１８は、間隙１５４を半径方向に通って突出するように配置される。これは、ワイヤホルダ１２２が、内側ハウジング９６に挿入される直前に、間隙１５４内に開くことによって実現することができる。したがって、ワイヤ１１８の切断部分が、ワイヤ１１８を曲げることなく間隙１５４から突出することができるため、切断部分を手でかつ／または道具を使用して容易につまみ取ることができる。したがって、ワイヤ１１８の切断部分を除去するために、レバー６を開位置に旋回させてコネクタ１と相補コネクタ１１とを互いに切り離す必要がない。
【００８８】
図７において少なくとも１つの位置、すなわち閉位置７８で見られるように、台座１３０が窓３２を通って突出して、台座に部分的に配置されたシールドコンタクト１２８が、閉位置７８でレバーアセンブリ４の外周を越えて延びるようになっている。副シールドコンタクト１３４は、連結レバー８によって編組シールドおよび／または箔張シールドに押し付けられる。レバーアセンブリ４は導電性材料から形成されることが好ましく、これにより、レバーアセンブリ４は、副シールドコンタクト１３４を、レバーアセンブリの連結部に嵌めることのできる外殻１３２に電気的に結合することができる。シールドコンタクト１２８は、外殻１３２に直接接触することができる。
【００８９】
閉位置７８で、伸長部１２を後退させて、レバーアセンブリ４が非伸長状態８０になり、したがって多くの空間を占めないようにすることができる。レバーアセンブリ４を開く必要なしに、切断されたワイヤ１１８をつまみ取ることができ、外殻１３２をコネクタアセンブリ１５０の連結部に嵌めて、コネクタアセンブリ１５０をシールドするコネクタハウジング２にねじ接続により固定することができるため、連結部を外部の影響から保護し、さらにレバー６が閉位置７８から旋回することを阻止する。外殻１３２は、張力緩和のための機構を備えることができる。
【符号の説明】
【００９０】
１  コネクタ
２  コネクタハウジング
４  レバーアセンブリ
６  レバー
７  ソケット
８  連結レバー
９  くびれ
１０  変形領域
１１  相補コネクタ
１２  伸長部
１３  対向するレバーと反対側を向く面
１４  開位置
１６  締結部
１８  受入ポケット
２０  回転軸
２２  接続方向
２４  自由端
２５  端部
２６  隆起
２７  対向するレバー側の面
２８  凹形状
３０  凹面
３１  ソケットと反対側を向く面
３２  窓
３４  側縁部
３５  締結部
３６  ガイド溝
３８  伸長状態
４０  レバーアーム
４２  力
４４  留め具
４６  内縁部
４８  外縁部
５０  止め
５２  開口部
５４  面
５６  切欠き
５８  ジャケット
６０  連結部
６２  アーム
６４  アームの接続部
６６  把持面
６７  把持補助
６８  リッフル
７０  切抜き部
７２  ガイド窓
７４  ガイド
７６  突出部
７８  閉位置
８０  非伸長状態
９０  凹部
９２  側面
９４  近位端
９６  内側ハウジング
９８  切刃
１００  内縁部
１０２  ガイド機構
１０４  安定柱
１０６  外面
１０８  窪み
１１０  半径方向外方を向く面
１１２  ワイヤマネージャ
１１４  中空本体
１１６  ケーブル
１１８  ワイヤ
１２０  端面
１２２  ワイヤホルダ
１２４  座部
１２６  スロット
１２７  縁部
１２８  シールドコンタクト
１３０  台座
１３２  外殻
１３４  副シールドコンタクト
１５０  コネクタアセンブリ
１５２  剪断アセンブリ
１５４  間隙
【図１】
2021507481.tif 000003
【図２】
2021507481.tif 000004
【図３】
2021507481.tif 000005
【図４】
2021507481.tif 000006
【図５】
2021507481.tif 000007
【図６】
2021507481.tif 000008
【図７】
2021507481.tif 000009
【国際調査報告】
2021507481.tif 000010
2021507481.tif 000011
2021507481.tif 000012